(57)【要約】【課題】ユニットケアにおいて、車椅子の者を含めた入居者全員に簡単な調理の機会を与えることによって痴呆の進行防止等に役立つとゝもに、一つの空間を談話室，食堂及びデイルーム等として兼用することができ、入居者同士が互いに安心できる「なじみの場所」や「なじみの関係」の形成に寄与するユニットケア用配膳車を提供する。【解決手段】介護施設において実施されるユニットケアに用いる配膳車であって、調理台１１とその両側に設けた脚部１２からなる机状本体１０と、調理台１１の上面に埋設した電磁調理器２０と、車椅子生活者の足が入るスペースを確保しつつ背面が調理台１１の正面側を向くように机状本体１０の両脚部１２の間に取り付けた棚部３０と、机状本体１０の両脚部１２に設けたキャスター１３とを備えたとしてある。【選択図】  図１
2005176920.tif 000002
【特許請求の範囲】
【請求項１】
介護施設において実施されるユニットケアに用いる配膳車であって、調理台とその両側に設けた脚部からなる机状本体と、前記調理台の上面に埋設した電磁調理器と、車椅子生活者の足が入るスペースを確保しつつ背面が前記調理台の正面側を向くように前記机状本体の両脚部の間に取り付けた棚部と、前記机状本体の両脚部に設けたキャスターとを備えたことを特徴とするユニットケア用配膳車。
【請求項２】
前記机状本体の調理台の上面の高さを約７００mm以下するとゝもに、該調理台の下面の高さを約６００mm以上とし、更に、前記棚部の下に車椅子のフットレストに載せた両足が納まる間隙部を形成したことを特徴とする請求項１記載のユニットケア用配膳車。
【請求項３】
少なくとも、前記机状本体の調理台の正面及び四隅と、前記棚部の背面側の下端縁とをアールで形成したことを特徴とする請求項１又は２記載のユニットケア用配膳車。
【請求項４】
前記棚部の正面に引き戸を設けたことを特徴とする請求項１〜３のうちいずれか一つに記載のユニットケア用配膳車。
【請求項５】
前記車椅子生活者の食事メニューに調理を必要とする少なくとも一品を含み、食事のときに前記ユニットケア用配膳車を搬送して食卓の近傍に配置し、前記車椅子生活者各人又は車椅子生活者のうちの担当者或いは介護スタッフが、前記調理を必要とする食品を前記ユニットケア用配膳車の電磁調理器で調理することを特徴とする請求項１〜４のうちいずれか一つに記載のユニットケア用配膳車を用いたユニットケア方法。
【発明の詳細な説明】
【技術分野】
【０００１】
本発明は、特別養護老人ホーム，老人保健施設等の介護施設を複数のユニットに分けて
家庭的・人間的な介護を目指すユニットケアに好適なユニットケア用配膳車及びこれを用
いたユニットケア方法に関し、特に、車椅子生活者の使用に配慮したユニットケア用配膳
車及びこれを用いたユニットケア方法に関する。
【背景技術】
【０００２】
従来の特別養護老人ホーム，老人保健施設等の介護施設では、１０人前後の介護スタッ
フが５０名以上の入居者を集団で介護する、いわゆる大規模ケアが一般的であり、これら
の施設における食事は、調理室で一括調理した人数分の料理を配膳車により大食堂まで搬
送し、テーブル上に配膳された料理を入居者が一斉に食するというものであった。
【０００３】
そして、大人数の料理を調理室から大食堂に効率よく搬送するとゝもに、料理を適温に
保持するため、従来から種々の配膳車が提案されている（下記特許文献６を除く特許文献
１〜５参照、特許文献６については後述する）。従来の配膳車は、いずれも調理済の料理
の保温又は再加熱を目的とするもので、配膳車の内部に設けた多段の棚部に電磁誘導加熱
コイルを内蔵するとゝもに、食器の裏面に磁性材料からなる発熱体（例えば金属泊）を付
設した構成となっていた。
【０００４】
このような構成からなる従来の配膳車によれば、料理を盛り付けた前記食器をトレイに
載せ、該トレイを前記棚部に収納した後１００Ｖの交流電力をインバーターにより２０〜
５０ｋＨｚの高周波電力に変換し、これを前記電磁誘導加熱コイルに供給することによっ
て前記食器の発熱体に渦電流を発生させ、ジュール熱で該食器内の料理を加熱することが
できる。これにより、調理室から大食堂のテーブルに配膳するまでの間料理を保温又は再
加熱することができ、調理から数時間が経過しても入居者は暖かい料理を食べられる。
【特許文献１】特開２００３−３８２６２６号公報（第３，４頁、図１〜５）
【特許文献２】特開２００２−３５５１２９号公報（第４〜６頁、図１〜７）
【特許文献３】特開２００２−３０８１０７号公報（第４，５頁、図１〜３）
【特許文献４】特開２００１−１５２５７号公報（第３，４頁、図１〜４）
【特許文献５】特開２０００−２２９０４０号公報（第３，４頁、図１〜４）
【特許文献６】実開昭６３−２０２３３１号公報（第３，４頁、第１図，第２図）
【発明の開示】
【発明が解決しようとする課題】
【０００５】
近年、宅老所やグループホームなどの小規模なケアが効果を上げており、従来の流れ作
業的な大規模ケアを見直し、特別養護老人ホームや老人保健施設等の介護施設に小規模な
ケアを取り入れたユニットケアが注目されている。
【０００６】
ここで、ユニットケアについて簡単に説明すると、ユニットケアとは、介護施設を複数
のユニット（生活単位）に分けて家庭的・人間的な介護を目指すものであり、例えば、定
員５０名の特別養護老人ホームを４つのユニットに分け、１ユニットを１０〜１５人で構
成する。各ユニット毎に、談話室，食堂，キッチン，トイレなどの公共スペースと、居室
（入居者の個人部屋）の個人スペースとを備える。各ユニットを２，３人の介護スタッフ
が担当し、大家族規模の集団で一般家庭の日常生活に近い内容の介護を行う。
【０００７】
かかるユニットケアでは各ユニット毎にキッチンを備え、毎食事の調理や配膳などを入
居者と介護スタッフが協力して行うこととしている。これは調理や配膳といった作業を行
うことが入居者の痴呆の進行防止に役立つとゝもに、互いのコミュニケーションの機会と
なり、また調理中の臭いや音が入居者の食欲を増進させる働きがあるからである。
【０００８】
したがって、ユニットケアでは、従来の大規模ケアのように調理室で一括調理した人数
分の料理を大食堂のテーブルに配膳し、入居者全員が一斉に食べるといった流れ作業的な
食事は行われない。このため、従来のような５０人分以上の料理を保温又は再加熱しなが
ら一度に搬送する大型の配膳車はユニットケアで使用することができず、また使用する必
要もないという問題がある。
【０００９】
一方、ユニットケアにおいて、入居者に調理させることが痴呆の進行防止等に役立つこ
とは上述の通りであるが、入居者全員に調理させることができないという問題がある。す
なわち、一般家庭用のキッチンでは設備と面積に制限があり、１ユニットを構成する１０
〜１５人の入居者全員が該キッチンを使って調理することはできず、また男性入居者など
元々高度な調理ができない者もいるからである。
【００１０】
さらに、ユニットケアでは、各ユニット毎に談話室，食堂及びデイルーム等といった公
共スペースを備えなければならないが、これらを別々の部屋とすると空間的には贅沢とい
えるが、入居者同士が孤立してしまい、互いに安心できる「なじみの場所」や「なじみの
関係」が形成されにくいという問題がある。これと逆に、生活の核となる一つの空間を談
話室，食堂及びデイルーム等として兼用することができれば、入居者同士が同じ空間，同
じ時間を共有する機会が増え、互いに安心できる「なじみの場所」や「なじみの関係」が
形成されやすくなる。
【００１１】
これに加え、特別養護老人ホームや老人保健施設等の介護施設では、車椅子の入居者が
多数共棲しており、入居者の使用する設備は車椅子に座ったままでの使用を考慮した設計
でなければならない。
【００１２】
なお、実開昭６３−２０２３３１号公報では、配膳車の側面にオーブントースターを配
設し、給食直前に配膳車において調理・加工を行い、受給者に美味新鮮な食事を提供する
ことができる配膳車が提案されている。
【００１３】
しかしオーブントースターでは、可能な調理が「焼く」の一部に限定され（例えば、ト
ーストやグラタン等を焼くことはできるが、焼き肉，焼きそば，お好み焼き等を焼くこと
はできない）、毎食事の多種多様なメニューに対応して「煮る」「焚く」「炒める」「揚
げる」とった一般的な調理ができないといった問題がある。また、ガス又は電気のいずれ
のオーブントースターも高温の熱源により調理を行うものであるから、痴呆症のお年寄り
などを含む介護施設の入居者に使用させるには安全性に問題がある。
【００１４】
本発明は、上記の問題点に鑑みてなされたものであり、ユニットケアにおいて、車椅子
の者を含めた入居者全員に簡単な調理の機会を与えることによって痴呆の進行防止等に役
立つとゝもに、一つの空間を談話室，食堂及びデイルーム等として兼用することができ、
入居者同士が互いに安心できる「なじみの場所」や「なじみの関係」の形成に寄与するユ
ニットケア用配膳車及びこれを用いたユニットケア方法を提供することを目的としたもの
である。
【課題を解決するための手段】
【００１５】
上記の目的を達成するために、本発明に係るユニットケア用配膳車は、介護施設におい
て実施されるユニットケアに用いる配膳車であって、調理台とその両側に設けた脚部から
なる机状本体と、前記調理台の上面に埋設した電磁調理器と、車椅子生活者の足が入るス
ペースを確保しつつ背面が前記調理台の正面側を向くように前記机状本体の両脚部の間に
取り付けた棚部と、前記机状本体の両脚部に設けたキャスターとをそれぞれ備えた構成と
してある。
【００１６】
好ましくは、前記机状本体の調理台の上面の高さを約７００mm以下するとゝもに、該調
理台の下面の高さを約６００mm以上とし、更に、前記棚部の下に車椅子のフットレストに
載せた車椅子生活者の両足が納まる間隙部を形成した構成とする。
【００１７】
より好ましくは、少なくとも、前記机状本体の調理台の正面及び四隅と、前記棚部の背
面側の下端縁とをアールにした構成とし、また、前記棚部の正面に引き戸を設けた構成と
する。
【００１８】
上記目的を達成するために、本発明のユニットケア用配膳車を用いたユニットケア方法
は、前記車椅子生活者の食事メニューに調理を必要とする少なくとも一品を含み、食事の
ときに前記ユニットケア用配膳車を搬送して食卓の近傍に配置し、前記車椅子生活者各人
又は車椅子生活者のうちの担当者或いは介護スタッフが、前記調理を必要とする食品を前
記ユニットケア用配膳車の電磁調理器で調理することとしてある。
【発明の効果】
【００１９】
本発明のユニットケア用配膳車によれば、該配膳車の天板を兼ねる調理台の上面に電磁
調理器を配設した構成としたので、煮る，焚く，炒める，揚げる，（フライパンなどの上
で）焼くといった本格的なものから、電磁誘導加熱が可能な食器に入れたスープやみそ汁
を個別に温め直す程度の極めて簡単なものまで、痴呆の段階や調理能力の程度に応じて入
居者自身に安全に調理させることができる。
【００２０】
特に、前記配膳車の本体を前記調理台と両脚部からなる机状としたことで、前記調理台
の下に車椅子に座った状態の足が入るスペースを確保することができ、車椅子に座ったま
まで前記調理台又は電磁調理器に体を近づけて調理することが可能となる。
【００２１】
一般的な車椅子のシート高が４５０mm前後であるのに対し、前記調理台の上面の高さを
約７００mm以下としたことで、平均的な身長のお年寄りが車椅子に座った状態の胸の位置
よりも前記調理台を低くすることができる。これにより、車椅子に座ったままでも前記調
理台の上での調理ないし前記電磁調理器を用いた調理がしやすくなる。
【００２２】
同じく、一般的な車椅子のシート高が４５０mm前後であるのに対し、前記調理台の下面
の高さを約６００mm以上としたことで、平均的な身長のお年寄りが車椅子に座った状態の
膝が前記調理台に当たらなくなる。
【００２３】
前記棚部の下に車椅子のフットレストに載せた両足が納まる間隙部を形成したことで、
前記調理台の下に棚部を設けても、車椅子に座った状態の膝までが入るスペースを確保で
きれば、足先が該棚部に当たらない。これにより、前記調理台の奥行きをさほど大きくす
ることなく、車椅子に座った状態の足の収容スペースと食事又は食材の収納スペースとの
両立を図ることができる。
【００２４】
少なくとも、少なくとも、前記机状本体の調理台の正面及び四隅と、前記棚部の背面側
の下端縁とをアールとしたことにより、本ユニットケア用配膳車を車椅子に座った状態で
使用する場合の接触や衝突に対するの安全を図っている。
【００２５】
前記棚部に開き戸を設けた場合は、前記棚部から車椅子を少し離して該開き戸を開かせ
るためのスペースを確保しなければならず、車椅子から手を伸ばさなければ前記開き戸を
開くことができず、前記棚部から食事又は食材を取り出す作業が極めて煩雑となる。これ
に対し、本発明では、前記棚部に引き戸を設けたことで、車椅子を前記棚部に横付けして
引き戸を開閉させることができ、車椅子に座ったままで食事又は食材を容易に取り出すこ
とができる、といった諸効果がある。
【００２６】
一方、本発明のユニットケア用配膳車を用いたユニットケア方法によれば、前記ユニッ
トケア用配膳車を食卓の近傍に搬送して入居者自身に調理を行わせることができるので、
入居者に家庭的・人間的な介護を施すことができるとゝもに、互いのコミュニケーション
の機会をつくることができ、入居者の痴呆進行防止にも役立つ。また、全く調理ができな
い入居者でも、他の入居者等の調理中の臭いや音によって食欲が増進される。
【００２７】
また、各ユニットごとにキッチン付きの食堂を設ける必要がなくなるので、一つの空間
を談話室，食堂及びデイルーム等として兼用することができ、入居者同士が互いに安心で
きる「なじみの場所」や「なじみの関係」の形成に役立つ、といった諸効果がある。
【発明を実施するための最良の形態】
【００２８】
先ず、本発明の一実施形態に係る配膳車について、図１乃至図７を参照しつつ以下に説
明すると、図において、１はユニットケア用配膳車で、机状本体１０と電磁調理器２０及
び棚部３０から主に構成されており、前記机状本体１０は主としてステンレス製の調理台
１１の両側に一対のコ字形又は逆コ字形の脚部１２，１２を取り付けた構成としてある。
【００２９】
前記両脚部１２，１２の下部にはその四隅近傍に四つのキャスター１３，１３，１３，
１３を備えており、各キャスター１３はそれぞれストッパ１３ａを有している。また、本
実施形態では、図２に示すように、各キャスタ１３を含めた調理台１１の上面の高さＬ１
を７００mm，調理台１１の下面の高さＬ２を６００mmとしてある。
【００３０】
また、前記調理台１１の左正面側には電磁調理器２０が埋設してあり、該電磁調理器２
０は結晶ガラス製のトッププレート２１の下に図示しない２つの電磁誘導加熱コイルを内
蔵した構成となっている。これら電磁誘導加熱コイルの位置を示すべく、トッププレート
２１の各電磁誘導加熱コイルに対応する位置にはそれぞれ２つの円形マーク２１ａが表示
してある。
【００３１】
前記調理台１１の正面には電磁調理器２０のコントロールパネル２２が配設してあり、
該コントロールパネル２２には前記電磁誘導加熱コイルの入スイッチ２２ａ，切スイッチ
２２ｂ及び加熱温度を調整するためのアップ・ダウンスイッチ２２ｃ・２２ｄがそれぞれ
設けてある。これらスイッチ２２ａ〜２２ｄはいずれもお年寄りが操作しやすいように大
型のタッチパネル式としてある。
【００３２】
また、前記アップ・ダウンスイッチ２２ｃ・２２ｄの上部には、前記電磁誘導加熱コイ
ルの加熱レベルを示すインジケータランプ２２ｅが設けてあり、前記電磁誘導加熱コイル
の出力状況が一目で分かるようになっている。そして、前記コントロールパネル２２の隣
には、包丁などの調理道具、箸やスプーン及びフォークといった食器、調味料等を収納す
るための引き出し１４が設けてあり、該引き出し１４は車椅子Ｋに座った人Ｍがコントロ
ールパネル２２の正面に位置するとき、該車椅子Ｋに当たることなく、右手で簡単に引き
出すことができるようになっている。
【００３３】
一方、前記調理台１１の下部で両脚部１２，１２の間には、各ユニットを構成する入居
者の食事又は食材等の収納が可能な棚部３０が取り付けてある。具体的に、該棚部３０に
はトレイに載せた８人分の食事を各棚板３１上に収納することができ、各棚板３１を適宜
取り外せば、未調理の食材を収納することもできる。
【００３４】
このような棚部３０を調理台１１の下部背面側に配置することにより、該調理台１１の
下部正面側に車椅子Ｋに座った入Ｍの足Ｆが入るスペースを確保している。また、棚部３
０の下には、図２に示すように、車椅子ＫのフットレストＫ１に載せた両足Ｆが納まる間
隙部３２が形成してある。その結果、図６に示すように、調理台１１の下に棚部３０を設
けても、車椅子Ｋに座った状態の膝までが入るスペースさえ確保できれば、足先が該棚部
３０に当たることがない。これにより、前記調理台１１の奥行きをさほど大きくすること
なく、車椅子Ｋに座った状態の足Ｆの収容スペースと食事又は食材の収納スペースとの両
立を図ることができる。
【００３５】
また、棚部３０には引き戸３３が設けてある。ここで棚部３０に開き戸を設けた場合に
は、棚部３０から車椅子Ｋを少し離して該開き戸を開かせるためのスペースを確保しなけ
ればならず、車椅子Ｋから手を伸ばさなければ前記開き戸を開くことができず、棚部３０
から食事又は食材を取り出す作業が極めて煩雑となる。これに対し、本実施形態では、棚
部３０に引き戸３３を設けたことで、図７に示すように、車椅子Ｋを棚部３０に横付けし
て引き戸３３を開閉させることができ、車椅子Ｋに座ったままで食事又は食材を容易に取
り出すことができる。
【００３６】
さらに、棚部３０は、剛性を得るための縦横のフレーム（図示せず）以外の構成部品に
合成樹脂を多用することによって軽量化を図り、ユニットケア用配膳車１を容易に搬送す
ることができるようにしてある。また、従来の配膳車と異なり、棚部３０の内部には料理
を保温するための加熱器機や電源などの設備を一切装備してない。
【００３７】
そして又、本ユニットケア用配膳車１では、車椅子Ｋに座った状態の入が調理を行うと
きに頻繁に接触すると考えられる調理台１１の正面側と四隅の角部、棚部３０の背面側の
下端縁をはじめ、全ての角部を面取りしてアールＲにした構成としてある。これにより、
本ユニットケア用配膳車１を車椅子Ｋに座った状態で使用する場合の接触や衝突に対する
の安全を図っている。これに加え、電磁調理器２０の背面には、配膳車１を走行させるた
めのハンドルバー２３が固定してある。該ハンドルバー２３は金属製の丸棒であり、調理
を行うときにタオル掛などとして利用することができる。
【００３８】
上記構成からなる本実施形態のユニットケア用配膳車１によれば、該配膳車１の天板を
兼ねる調理台１１の上面に電磁調理器２０を配設した構成としたので、煮る，焚く，炒め
る，揚げる，（フライパンなどの上で）焼くとった本格的なものから、電磁誘導加熱が可
能な食器に入れたスープやみそ汁を個別に温め直す程度の極めて簡単なものまで、痴呆の
段階や調理能力の程度に応じて入居者自身に安全に調理させることができる。
【００３９】
特に、本ユニットケア用配膳車１の本体１０を調理台１１と両脚部１２，１２からなる
机状としたことで、調理台１１の下に車椅子Ｋに座った状態での人Ｍの足Ｆが入るスペー
スを確保することができ、車椅子Ｋに座ったままで調理台１１又は電磁調理器２０に体を
近づけて調理することが可能となる。
【００４０】
また、一般的な車椅子のシート高が４５０mm前後であるのに対し、調理台１１の上面の
高さＬ１を約７００mm以下としたことで、平均的な身長のお年寄りが車椅子に座った状態
の胸の位置よりも調理台１１を低くすることができる。これにより、車椅子に座ったまま
でも調理台１１の上での調理ないし電磁調理器２０を用いた調理がしやすくなる。
【００４１】
同じく、一般的な車椅子のシート高が４５０mm前後であるのに対し、調理台１１の下面
の高さＬ２を約６００mm以上としたことで、平均的な身長のお年寄りが車椅子に座った状
態の膝が調理台１１に当たらなくなる、といった諸効果がある。
【００４２】
なお、本発明の配膳車は、上述した実施形態に限定されるものではない。例えば、上記
ユニットケア用配膳車１は、電磁誘導加熱コイルを二つ備えた電磁調理器２０を搭載した
構成としたが、この場合は２００Ｖの電源を必要とするので、電磁誘導加熱コイルを一つ
として１００Ｖ電源で使用できるようにしてもよい。
【００４３】
次に、本ユニットケア用配膳車１を用いたユニットケア方法の実施形態について、図８
を参照しつつ説明すると、例えば、１ユニットを１２人の入居者と３人の介護スタッフで
構成し、該ユニットを更に６人ずつの２グループに分ける。１グループに１人又は１．５
人の介護スタッフと６人掛けのテーブル４０及び本ユニットケア用配膳車１を一台宛う。
また、食事のメニューは魚のソテー４１，サラダ４２，御飯４３，みそ汁４４，デザート
４５と仮定する。
【００４４】
本ユニットケア用配膳車１では水を使う作業ができないため、まず、図示しない共用の
キッチンで野菜や果実を洗う、魚を下ろす、米を磨ぐといった下拵えを済ませる。当該下
拵えのうち、野菜や果実の水洗い及び米を磨ぐ作業は比較的痴呆の程度の重い入居者にも
担当させることができる。また、魚を下ろす作業は包丁を使用するので比較的痴呆の程度
の軽い入居者に担当させ、介護スタッフ１人が付き添う。
【００４５】
次いで、上記下拵えした食材，食器及びトレーを本ユニットケア用配膳車１の棚部３０
に収納し、食卓まで搬送する。ユニット内に調理のできない入居者がいる場合は、当該入
居者にこれらの搬送作業を担当させることが望ましい。この場合も介護スタッフ１人が付
き添う。
【００４６】
本ユニットケア用配膳車１をテーブル４０の近傍まで搬送したならば、電磁調理器２０
によって米を炊くとゝもにみそ汁を作る。これと平行して、前記調理台１１の上にまな板
を置き、包丁でみそ汁の具になる豆腐，わかめ，ねぎやサラダ４２に用いる野菜を刻み、
また、デザート４５になる果実を切り分ける。その後、これらサラダ４２とデザート４５
を食器に盛り付け、１人前ずつトレーに載せてテーブル４０上の各人の席に配膳する。当
該調理及び配膳は１〜３人の入居者に担当させ、介護スタッフ１人が付き添う。包丁を使
う作業以外はある程度痴呆の進行した入居者に担当させることもできる。
【００４７】
次いで、ユニットケア用配膳車１の電磁調理器２０及びフライパン５０を使って魚のソ
テー４１を調理する。ここで、痴呆性のお年寄りでも何十年も自分がしてきた食事の支度
や簡単な調理ができるのは経験的事実であり、魚のソテー４１は入居者各人に順番に調理
させることが好ましい。また、極めて痴呆の程度の重い入居者や料理をしたことがない男
性入居者がいる場合は、これら入居者の分を調理可能な他の入居者が代わって調理しても
よい。この場合も過度の加熱や火傷を防止するために介護スタッフ１人が付き添う。
【００４８】
このような本実施形態のユニットケア方法によれば、ユニットケア用配膳車１を食卓の
近傍に搬送して入居者自身に調理を行わせることができるので、入居者に家庭的・人間的
な介護を施すことができるとゝもに、互いのコミュニケーションの機会をつくることがで
き、入居者の痴呆進行防止にも役立つ。また、全く調理ができない入居者でも、他の入居
者等の調理中の臭いや音によって食欲が増進される。
【００４９】
また、各ユニットごとにキッチン付きの食堂を設ける必要がなくなるので、一つの空間
を談話室，食堂及びデイルーム等として兼用することができ、入居者同士が互いに安心で
きる「なじみの場所」や「なじみの関係」の形成に役立つ、といった諸効果がある。
【００５０】
なお、本発明のユニットケア方法は、上述した実施形態に限定されるものではない。例
えば、既述した特許文献に開示されているように、食器の裏面に金属泊等の発熱体を貼付
すれば、入居者の好みに応じて個別にみそ汁４４を暖め直すこともできる。また、電磁調
理器２０は、魚の切り身をフライパン５０などの上で「焼く」以外に、「煮る」「焚く」
「炒める」「揚げる」といった一般的な調理をすることもでき、朝昼晩の食事ごとに少な
くとも一品、簡単な調理を入居者にさせることができる。
【図面の簡単な説明】
【００５１】
【図１】本発明の一実施形態に係るユニットケア用配膳車の斜視図である。
【図２】同配膳車の正面図である。
【図３】同配膳車の平面図である。
【図４】同配膳車の右側面図である。
【図５】同配膳車の背面図である。
【図６】同配膳車を車椅子に乗った人が調理するために使用する状態を示す説明図である。
【図７】車椅子に乗った人が同配膳車から食材を取り出す状態を示す説明図である。
【図８】本発明の一実施形態に係るユニットケア用配膳車を用いたユニットケア方法の説明図である。
【符号の説明】
【００５２】
１  ユニットケア用配膳車
１０  机状本体
１１  調理台
１２  脚部
１３  キャスター
１４  引き出し
２０  電磁調理器
２１  トッププレート
２１ａ  マーク
２２  コントロールパネル
２２ａ  入スイッチ
２２ｂ  切スイッチ
２２ｃ  アップスイッチ
２２ｄ  ダウンスイッチ
２２ｅ  インジケータ
２３  ハンドルバー
３０  棚部
３１  棚板
３２  間隙部
３３  引き戸
Ｒ  アール
【図１】
2005176920.tif 000003
【図２】
2005176920.tif 000004
【図３】
2005176920.tif 000005
【図４】
2005176920.tif 000006
【図５】
2005176920.tif 000007
【図６】
2005176920.tif 000008
【図７】
2005176920.tif 000009
【図８】
2005176920.tif 000010